(57)【要約】【課題】一般家庭のトイレに設置することができ、且つ本格的な音楽を聞くことができるトイレ用スピーカ装置及び洋風便器を開発する。【解決手段】上面が開口した便座部７と、便座部７に続き漏斗状に径が縮小された形状の便受け部８と、便受け部８に続く台座部９を備えた洋風便器１に取り付けられ、少なくとも台座部９の前面側を取り囲むスカート部材１０を有し、前記スカート部材１０にスピーカ１１〜１４が設けられたことを特徴とするトイレ用スピーカ装置。【選択図】図１
2007170060.tif 000002
【特許請求の範囲】
【請求項１】
上面が開口した便座部と、便座部に続き漏斗状に径が縮小された形状の便受け部と、便受け部に続く台座部を備えた洋風便器に取り付けられ、少なくとも台座部の前面側を取り囲むスカート部材を有し、前記スカート部材にスピーカが設けられたことを特徴とするトイレ用スピーカ装置。
【請求項２】
スカート部材の側面はオーバーハング状に傾斜し、当該傾斜面にスピーカが取り付けられていることを特徴とする請求項１に記載のトイレ用スピーカ装置。
【請求項３】
スピーカは斜め下向きに取り付けられていることを特徴とする請求項１又は２に記載のトイレ用スピーカ装置。
【請求項４】
スピーカは垂直線に対して斜め下向きに１５°から２５°の姿勢に取り付けられていることを特徴とする請求項１乃至３のいずれかに記載のトイレ用スピーカ装置。
【請求項５】
スピーカは、スカート部材の下端近傍に設けられていることを特徴とする請求項１乃至４のいずれかに記載のトイレ用スピーカ装置。
【請求項６】
スピーカの位置は、便座部に座した使用者を基準として、当該使用者が背筋を垂直に伸ばした姿勢の時に少なくとも耳の位置よりも前方にあることを特徴とする請求項１乃至５のいずれかに記載のトイレ用スピーカ装置。
【請求項７】
２以上のスピーカを有し、そのうちの少なくとも一対のスピーカは、便座に座した使用者を基準として左右方向の中心線に対して略均等の角度に配置されていることを特徴とする請求項１乃至６のいずれかに記載のトイレ用スピーカ装置。
【請求項８】
洋風便器の前面側であって床面の近傍の高さに２以上のスピーカが設けられ、そのうちの少なくとも一対のスピーカは、便座に座した使用者を基準として左右方向の中心線に対して略均等の角度に配置され、且つ前記一対のスピーカは、いずれも便座部に座した使用者を基準として、当該使用者が背筋を垂直に伸ばした姿勢の時に少なくとも耳の位置よりも前方にあり、さらに前記スピーカは垂直線に対して斜め下向きに１５°から２５°の姿勢に取り付けられていることを特徴とする洋風便器。
【発明の詳細な説明】
【技術分野】
【０００１】
本発明は、トイレ内に設置されるスピーカ装置に関するものである。また本発明は、スピーカを備えた洋風便器に関するものである。
【背景技術】
【０００２】
スピーカを備えた便器が知られている。これらの多くは、大小便が着水する際の音を紛らわせるための擬音を発生するものである（特許文献１，２）。従ってこれらの便器では音を聞かせたい相手は、使用者ではなく、トイレの外部にいる人間である。そのためスピーカは、便器の背中側や横面に取り付けられている。
【０００３】
また擬音に代わって音楽を流すことができるものもあるが（特許文献３）、これらについても、主たる目的は、大小便が着水する際の音を紛らわせる点にあり、スピーカは便器の背面側に取り付けられている。
【０００４】
純粋に楽しむための音楽を聞くことを目的としたトイレの発明としては例えば特許文献４に開示された発明があり、トイレの壁面に便器から独立したスピーカが取り付けられている。
【特許文献１】実開平６−７４６７７号公報
【特許文献２】特開２００３−１７６５５９号公報
【特許文献３】特開２００４−１１３３８８号公報
【特許文献４】実用新案登録第３００２６００号公報
【発明の開示】
【発明が解決しようとする課題】
【０００５】
需要者の要求の一つとして、トイレの中で本格的な音楽を聞きたいという要求がある。しかしながら一般家庭のトイレは狭く、せいぜい０．５畳から１畳程度（０．８〜１．７平方メートル程度）の広さしかなく、大型のスピーカを設置することはできない。そのため一般家庭において、トイレの中で本格的な音楽を聞くことができる装置は、現在まで知られていない。即ち特許文献１乃至３に記載の発明は、便器にスピーカが内蔵されているから、音を発生させることはできるが、取付け得るスピーカは小型のものに限られる。またスピーカの取付け角度や取付け位置は、トイレの使用者が音楽等を聞くのに適した位置ではない。
【０００６】
特許文献４に開示された構成によると、本格的な音楽をトイレで楽しむことができるものの、相当に広い面積を有したトイレでなければ装置を設置することができず、実用的であるとはいえない。
【０００７】
そこで本発明は、従来技術の上記した問題点に注目し、一般家庭のトイレに設置することができ、且つ本格的な音楽を聞くことができるトイレ用スピーカ装置及び洋風便器を開発することを課題とするものである。
【課題を解決するための手段】
【０００８】
そして上記した課題を解決するための請求項１に記載の発明は、上面が開口した便座部と、便座部に続き漏斗状に径が縮小された形状の便受け部と、便受け部に続く台座部を備えた洋風便器に取り付けられ、少なくとも台座部の前面側を取り囲むスカート部材を有し、前記スカート部材にスピーカが設けられたことを特徴とするトイレ用スピーカ装置である。
【０００９】
本発明のトイレ用スピーカ装置では、洋風便器の台座部の前面側を取り囲むスカート部材を有し、このスカート部材にスピーカが設けられている。洋風便器の台座部は、便座部や便受け部に比べて径が小さいので、当該部位の周囲には比較的大きな空間がある。そのため比較的大きなスピーカを設置することができる。また本発明では、便座部の前面側に向かってスピーカが設置されるが、便座部の前面側には一般に扉や壁がある。そのためスピーカから発せられた音は、前面の扉や壁に反射し、使用者の耳に届く。
【００１０】
請求項２に記載の発明は、スカート部材の側面はオーバーハング状に傾斜し、当該傾斜面にスピーカが取り付けられていることを特徴とする請求項１に記載のトイレ用スピーカ装置である。
【００１１】
本発明のトイレ用スピーカ装置では、スカート部材の側面がオーバーハング状に傾斜し、スピーカはこの傾斜面に取り付けられている。従ってスピーカは床面を向く。そのためスピーカから発せられた音は、床面に当たって反射し、さらに扉や壁に当たってトイレの空間全体に広がる。
【００１２】
請求項３に記載の発明は、スピーカは斜め下向きに取り付けられていることを特徴とする請求項１又は２に記載のトイレ用スピーカ装置である。
【００１３】
本発明のトイレ用スピーカ装置についても、スピーカは床面を向いている。そのためスピーカから発せられた音は、床面に当たって反射し、さらに扉や壁に当たってトイレの空間全体に広がる。
【００１４】
請求項４に記載の発明は、スピーカは垂直線に対して斜め下向きに１５°から２５°の姿勢に取り付けられていることを特徴とする請求項１乃至３のいずれかに記載のトイレ用スピーカ装置である。
【００１５】
本発明のトイレ用スピーカ装置についても、スピーカは床面を向いている。そのためスピーカから発せられた音は、床面に当たって反射し、さらに扉や壁に当たってトイレの空間全体に広がる。
【００１６】
請求項５に記載の発明は、スピーカは、スカート部材の下端近傍に設けられていることを特徴とする請求項１乃至４のいずれかに記載のトイレ用スピーカ装置である。
【００１７】
本発明のトイレ用スピーカ装置では、スピーカの取り付け位置がスカート部材の下端近傍であるから、スピーカから発せられた音は、床面で反射する。そのため音がトイレ中に響く。
【００１８】
請求項６に記載の発明は、スピーカの位置は、便座部に座した使用者を基準として、当該使用者が背筋を垂直に伸ばした姿勢の時に少なくとも耳の位置よりも前方にあることを特徴とする請求項１乃至５のいずれかに記載のトイレ用スピーカ装置である。
【００１９】
本発明のトイレ用スピーカ装置では、スピーカの位置は、使用者の耳の位置よりも前にある。そのため使用者は、主として前面側の扉や壁による反射音を聞くことができ、後方からの反射音は比較的小さいものとなる。そのため反響音のバランスに優れたものとなる。
【００２０】
請求項７に記載の発明は、２以上のスピーカを有し、そのうちの少なくとも一対のスピーカは、便座に座した使用者を基準として左右方向の中心線に対して略均等の角度に配置されていることを特徴とする請求項１乃至６のいずれかに記載のトイレ用スピーカ装置である。
【００２１】
本発明のトイレ用スピーカ装置は、左右のバランスがよく、ステレオ効果を楽しむことができる。
【００２２】
請求項８に記載の発明は、洋風便器の前面側であって床面の近傍の高さに２以上のスピーカが設けられ、そのうちの少なくとも一対のスピーカは、便座に座した使用者を基準として左右方向の中心線に対して略均等の角度に配置され、且つ前記一対のスピーカは、いずれも便座部に座した使用者を基準として、当該使用者が背筋を垂直に伸ばした姿勢の時に少なくとも耳の位置よりも前方にあり、さらに前記スピーカは垂直線に対して斜め下向きに１５°から２５°の姿勢に取り付けられていることを特徴とする洋風便器である。
【００２３】
本発明の洋風便器は、洋風便器の前面側であって床面の近傍の高さに設けられている。洋風便器の前面側であって床面の近傍の位置は、他の部位に比べて径が小さいので、当該部位の周囲には比較的大きな空間がある。そのため比較的大きなスピーカを設置することができる。また本発明の洋風便器では、便座部の前面側に向かってスピーカが設置されており、スピーカから発せられた音は、前面の扉や壁に反射し、使用者の耳に届く。
【００２４】
また本発明の洋風便器では、スピーカは床面を向いているため、スピーカから発せられた音は、床面に当たって反射し、さらに扉や壁に当たってトイレの空間全体に広がる。さらに本発明の洋風便器では、スピーカの位置は、使用者の耳の位置よりも前にあるから、使用者は、主として前面側の扉や壁による反射音を聞くことができ、後方からの反射音は比較的小さいものとなり、反響音のバランスに優れたものとなる。また本発明で採用するスピーカは、左右のバランスがよく、ステレオ効果を楽しむことができる。
【発明の効果】
【００２５】
本発明のトイレ用スピーカ装置及び洋風便器によると、トイレの中で本格的な音楽を聞くことができる。
【発明を実施するための最良の形態】
【００２６】
以下さらに本発明の実施形態について説明する。図１は、本発明の実施形態の洋風便器の分解斜視図である。図２は、図１の洋風便器に装着されているトイレ用スピーカ装置の正面図である。図３は、図２のトイレ用スピーカ装置の側面図である。図４は、図２のトイレ用スピーカ装置の平面図である。図５は、図１の洋風便器が取り付けられたトイレの様子を示す説明図である。
【００２７】
本実施形態の洋風便器１は、便器本体２とトイレ用スピーカ装置３によって構成されている。便器本体２は、通常の陶器製の便器であり、蓋４と、便座５および据え付け部６によって構成されている。据え付け部６は、公知のそれと同様に、上面が開口した便座部７と、便座部７に続き漏斗状に径が縮小された形状の便受け部８と、便受け部８に続く台座部９を備えている。そして台座部９が床面に据えつけられており、便座部８の上部に前記した便座５があり、さらに便座５の上に蓋４が設けられている。便座５及び蓋４は、公知のそれと同様に据え付け部６に対して揺動（開閉）可能である。
【００２８】
便受け部８の内面は、一部に水が溜まり、残る一部が露出するものであり、露出する部位は水流によって洗い流される。トイレ用スピーカ装置３は、スカート部材１０に４個のスピーカ１１，１２，１３，１４が設けられたものである。スカート部材１０は、便器本体２の台座部９に装着されるものであり、台座部９の前面側と側面側とを覆う。
【００２９】
スカート部材１０は、図１，３の様に上部側の径が大きく、下部側の径が小さい。そのためスカート部材１０の側面は、上部側から下側にかけて内方向に傾斜し、オーバーハング形状を呈している。本実施形態では、スカート部材１０のオーバーハング角は、約２０°である。即ちスカート部材１０の側面は、垂直に対して約２０°の傾斜を持ち、傾斜面は床面側に面している。
【００３０】
そして本実施形態では、前記した様にスカート部材１０に４個のスピーカ１１，１２，１３，１４が取り付けられている。この内、スピーカ１１，１２は、ウーハスピーカであり、スピーカ１３，１４はツイータスピーカである。一個のウーハスピーカ１１と一個のツイータスピーカ１３からなる一組が一個の右スピーカの役割を果たし、他の一個のウーハスピーカ１２と一個のツイータスピーカ１４からなる一組が一個の左スピーカの役割を果たす。従って本発明では、スカート部材１０に左右一対のスピーカが取り付けられているといえる。
【００３１】
スピーカ１１，１２，１３，１４の取り付け位置に注目すると、各スピーカ１１，１２，１３，１４は、中心軸に対して対称位置に配置されている。即ち左右のスピーカの組は、便座に座した使用者を基準として左右方向の中心線Ｙ−Ｙ（図４）に対して均等の角度に配置されている。より具体的には、左右のスピーカの組は、便座に座した使用者を基準として左右方向の中心線Ｙ−Ｙ（図４）に対してそれぞれ４５°傾いた角度に取り付けられている。さらに詳細に説明すると、左右のウーハスピーカ１１，１２は、それぞれ中心線Ｙ−Ｙ（図４）に対して４５°傾いた角度に取り付けられており、左右のツイータスピーカ１３，１４についてもＹ−Ｙ（図４）に対して４５°傾いた角度に取り付けられている。
【００３２】
各スピーカ１１，１２，１３，１４の中心線Ｙ−Ｙに対する角度は、４０°から５０°程度が推奨され、最も推奨される角度は、本実施形態で採用する４５°である。各スピーカ１１，１２，１３，１４の取り付け高さは、床面の近傍であり、スカート部材１０の全高の５分の１以下の高さである。また前記した様にスカート部材１０は約２０°のオーバーハング角を持つので、各スピーカ１１，１２，１３，１４はいずれも垂直面に対して約２０°傾斜し、床面側に面している。
【００３３】
スピーカ１１，１２，１３，１４の前後方向の取り付け位置を観察すると、図５の様に便座に座った使用者の耳の位置Ｘ−Ｘよりも前方にある。なお、便座５に座った使用者の耳の位置Ｘ−Ｘは、使用者が背筋を垂直に伸ばした姿勢を基準とする。
【００３４】
本実施形態で採用するスピーカ装置３は、図５の様に洋風便器１の便器本体２に取り付けられる。スピーカ装置３のスカート部材１０は、便器本体の台座部８の前面側と側面側とを覆い、スカート部材１０の頂部は、便器本体の便受け部７の外周部下面と接する。
【００３５】
スピーカ装置３を便器本体２に取り付ける方法としては、例えば、スカート部材１０を、その後端部を作業者の腕力によっていくぶん広げながら便器本体２に前方からかぶせ、スカート部材１０自体の復元力により便器本体２に固定してもよい。この場合でも、便器本体２とスカート部材１０の接合部をシールすることが望ましい。あるいは、スカート部材１０を接着テープによって便器本体２に固定してもよい。この場合、接着テープは防水性のものが好ましい。
【００３６】
スピーカ装置３が便器本体２の正規の位置に取り付けられた状態においては、各スピーカ１１，１２，１３，１４は、床面２１の近傍であって床面２１に面して傾斜し、さらに使用者を中心として左右振り分けて配置されている。さらに各スピーカ１１，１２，１３，１４は便座５に座った使用者の耳の位置Ｘ−Ｘよりも前方にある。
【００３７】
本実施形態のスピーカ装置３には、図示しないアンプの出力線が接続され、各スピーカ１１，１２，１３，１４から音楽が流れる。各スピーカ１１，１２，１３，１４から発せられた音楽の音波は、図にＭ１〜Ｍ３によって示すように、床面２１に反射し、続いて前方の扉２２（又は前方の壁面）に反射してトイレの全域に広がる。そのため便座５に座った使用者は、音楽に包まれ、心地よい。また各スピーカ１１，１２，１３，１４は、使用者を中心として左右に均等に振り分けて配置されているので、ステレオ効果が発揮され、立体感のある音楽を楽しむことができる。
【００３８】
以上説明した実施形態では、便器本体２とスピーカ装置３とが別々のものであったが、両者が一体化したものであってもよい。また上記した実施形態では、左右それぞれにウーハとツイータを備えたスピーカ装置３を例示したが、左右それぞれ一個ずつのスピーカを備えたスピーカ装置であってもよい。
【図面の簡単な説明】
【００３９】
【図１】本発明の実施形態の洋風便器の分解斜視図である。
【図２】図１の洋風便器に装着されているトイレ用スピーカ装置の正面図である。
【図３】図２のトイレ用スピーカ装置の側面図である。
【図４】図２のトイレ用スピーカ装置の平面図である。
【図５】図１の洋風便器が取り付けられたトイレの様子を示す説明図である。
【符号の説明】
【００４０】
１    洋風便器
２    便器本体
３    トイレ用スピーカ装置
４    蓋
５    便座
６    据え付け部
７    便座部
８    便受け部
９    台座部
１０  スカート部材
１１，１２  スピーカ（ウーハスピーカ）
１３，１４  スピーカ（ツイータスピーカ）
【図１】
2007170060.tif 000003
【図２】
2007170060.tif 000004
【図３】
2007170060.tif 000005
【図４】
2007170060.tif 000006
【図５】
2007170060.tif 000007